(57)【要約】【課題】必要なときにのみクロックアップすることにより、画像メモリからの画像データの読出しを阻害することなく、画像メモリへの画像データの書込みを確実に行うとともに、コストダウンを図ることのできる技術を提供する。【解決手段】画像データ書込要求信号と画像データ読出要求信号との受付けが重複したときにのみ、ＲＡＭ制御部７６５は、高速モードの高クロックを生成するように、クロック切換部７６４に対してクロック切換信号を出力するため、必要なときにのみクロックを切換えてクロックアップすることにより、ＶＲＡＭ７６６からの画像データの読出しを阻害することなく、ＶＲＡＭ７６６への画像データの書込みを確実に行うことができる。また、必要なときのみクロックアップすることで、放射電磁波などを低減できるとともに省電力を図ることができるためコストダウンを図ることができる。【選択図】図３
2010091710.tif 000002
【特許請求の範囲】
【請求項１】
画像データを入力する画像データ入力手段と、
前記画像データ入力手段により入力された画像データが書込まれる書換自在の画像メモリと、
表示部の画面表示に同期して前記画像メモリから周期的に画像データを読出して、読出した画像データを前記表示部へ出力する画像データ出力手段と、
前記画像データ入力手段からの画像データ書込要求と、前記画像データ出力手段からの画像データ読出要求とに応じて、前記画像メモリへの画像データの書込みと、前記画像メモリからの画像データの読出しとを制御するメモリ制御手段と、
前記メモリ制御手段の動作タイミングを規定するクロックを生成し、前記メモリ制御手段から出力されるクロック切換信号に応じて、前記クロックを、低速モードの低クロックと、高速モードの高クロックとの間で切換えるクロック生成手段とを備え、
前記メモリ制御手段は、
通常状態において前記低クロックを生成するように前記クロック生成手段に対して前記クロック切換信号を出力し、
前記画像データ書込要求と前記画像データ読出要求との受付けが重複したときには、前記高クロックを生成するように、前記クロック生成手段に対して前記クロック切換信号を出力する
ことを特徴とする画面表示制御装置。
【請求項２】
前記メモリ制御手段は、前記クロック生成手段による前記高クロックの生成時に、
前記画像データ書込要求および前記画像データ読出要求に基づく前記画像メモリへの画像データの書込みと、前記画像メモリからの画像データの読出しとが完了したときに、
新たな前記画像データ書込要求および前記画像データ読出要求との受付けが重複していなければ、前記通常状態の前記低クロックを生成するように前記クロック生成手段に対して前記クロック切換信号を出力する請求項１に記載の画面表示制御装置。
【請求項３】
画像データを入力する画像データ入力手段と、
前記画像データ入力手段により入力された画像データが書込まれる書換自在の画像メモリと、
表示部の画面表示に同期して前記画像メモリから周期的に画像データを読出して、読出した画像データを前記表示部へ出力する画像データ出力手段と、
前記画像データ入力手段からの画像データ書込要求と、前記画像データ出力手段からの画像データ読出要求とに応じて、前記画像メモリへの画像データの書込みと、前記画像メモリからの画像データの読出しとを制御するメモリ制御手段と、
前記メモリ制御手段の動作タイミングを規定するクロックを生成し、前記メモリ制御手段から出力されるクロック切換信号に応じて、前記クロックを、低速モードの低クロックと、高速モードの高クロックとの間で切換えるクロック生成手段とを備える画面表示制御装置の制御用プログラムにおいて、
通常状態において前記低クロックを生成するように前記クロック生成手段に対して前記クロック切換信号を出力し、
前記画像データ書込要求と前記画像データ読出要求との受付けが重複したときには、前記高クロックを生成するように、前記クロック生成手段に対して前記クロック切換信号を出力するように前記メモリ制御手段を制御する
ことを特徴とする画面表示制御装置の制御用プログラム。
【発明の詳細な説明】
【技術分野】
【０００１】
この発明は、画面表示制御を行う技術に関するものである。
【背景技術】
【０００２】
従来、特許文献１に記載されているような、画像データを処理する機能を備える画面表示制御装置が知られている。この種の画面表示制御装置は、処理した画像データを一時的に格納する画像メモリ（ＶｉｄｅｏＲＡＭ）を一般的に備えており、画像メモリに格納された処理済の画像データを周期的に読出すことで画面表示を行うように構成されている。
【０００３】
【特許文献１】特開２００７−２６４５７２号公報（段落００１７，００１８、図１など）
【発明の開示】
【発明が解決しようとする課題】
【０００４】
ところで、近年の液晶ディスプレイやプラズマディスプレイ、有機ＥＬディスプレイといった画面表示装置では、高解像度化および高諧調度化が進んでおり、画面表示装置に表示する画像のデータ容量も増大している。したがって、画像メモリからの画像データの周期的な読出しを阻害することなく、新たな画像データを画像メモリに書込むために、画像メモリからの画像データの読出し動作および画像メモリへの画像データの書込み動作の動作タイミングを規定するクロックをクロックアップする必要性が生じている。ところが、クロックアップすることで、装置の消費電流が大きくなること、さらに、装置外部への放射電磁波ノイズ対策のための部品が多く必要となることから、コストアップの原因となっていた。
【０００５】
この発明は、上記課題に鑑みなされたものであり、必要なときにのみクロックアップすることにより、画像メモリからの画像データの読出しを阻害することなく、画像メモリへの画像データの書込みを確実に行うとともに、コストダウンを図ることのできる技術を提供することを目的とする。
【課題を解決するための手段】
【０００６】
この発明にかかる画面表示制御装置は、上記目的を達成するため、画像データを入力する画像データ入力手段と、前記画像データ入力手段により入力された画像データが書込まれる書換自在の画像メモリと、表示部の画面表示に同期して前記画像メモリから周期的に画像データを読出して、読出した画像データを前記表示部へ出力する画像データ出力手段と、前記画像データ入力手段からの画像データ書込要求と、前記画像データ出力手段からの画像データ読出要求とに応じて、前記画像メモリへの画像データの書込みと、前記画像メモリからの画像データの読出しとを制御するメモリ制御手段と、前記メモリ制御手段の動作タイミングを規定するクロックを生成し、前記メモリ制御手段から出力されるクロック切換信号に応じて、前記クロックを、低速モードの低クロックと、高速モードの高クロックとの間で切換えるクロック生成手段とを備え、前記メモリ制御手段は、通常状態において前記低クロックを生成するように前記クロック生成手段に対して前記クロック切換信号を出力し、前記画像データ書込要求と前記画像データ読出要求との受付けが重複したときには、前記高クロックを生成するように、前記クロック生成手段に対して前記クロック切換信号を出力することを特徴としている。
【０００７】
また、この発明にかかる画面表示制御装置の制御用プログラムは、画像データを入力する画像データ入力手段と、前記画像データ入力手段により入力された画像データが書込まれる書換自在の画像メモリと、表示部の画面表示に同期して前記画像メモリから周期的に画像データを読出して、読出した画像データを前記表示部へ出力する画像データ出力手段と、前記画像データ入力手段からの画像データ書込要求と、前記画像データ出力手段からの画像データ読出要求とに応じて、前記画像メモリへの画像データの書込みと、前記画像メモリからの画像データの読出しとを制御するメモリ制御手段と、前記メモリ制御手段の動作タイミングを規定するクロックを生成し、前記メモリ制御手段から出力されるクロック切換信号に応じて、前記クロックを、低速モードの低クロックと、高速モードの高クロックとの間で切換えるクロック生成手段とを備える画面表示制御装置の制御用プログラムにおいて、通常状態において前記低クロックを生成するように前記クロック生成手段に対して前記クロック切換信号を出力し、前記画像データ書込要求と前記画像データ読出要求との受付けが重複したときには、前記高クロックを生成するように、前記クロック生成手段に対して前記クロック切換信号を出力するように前記メモリ制御手段を制御することを特徴としている。
【０００８】
このように構成された発明では、メモリ制御手段は、通常状態において低速モードの低クロックを生成するようにクロック生成手段に対してクロック切換信号を出力するため、画像データ読出要求に応じて画像メモリから画像データが低速モードの低クロックに基づいて周期的に読み出される。一方、画像データ書込要求と画像データ読出要求との受付けが重複したときには、メモリ制御手段は、高速モードの高クロックを生成するように、クロック生成手段に対してクロック切換信号を出力するため、画像メモリからの画像データの読出しおよび画像メモリへの画像データの書込みが高速モードの高クロックに基づいて行われる。したがって、必要なときにのみクロックを切換えてクロックアップすることにより、画像メモリからの画像データの読出しを阻害することなく、画像メモリへの画像データの書込みを確実に行うことができる。また、必要なときのみクロックアップすることで、放射電磁波などを低減できるとともに省電力を図ることができるためコストダウンを図ることができる。
【０００９】
なお、低速モードの低クロックとしては、表示部の画像解像度および階調度に基づくデータサイズの画像データを、表示部の画面表示の所定のフレームレートに基づいて確実に画像メモリから読出しできる速度であればよい。また、同様に、高速モードの高クロックとしては、上記した画像メモリからの画像データの周期的な読出しを阻害せずに、入力された画像データを画像メモリに書込める速度であればよい。
【００１０】
また、前記メモリ制御手段は、前記クロック生成手段による前記高クロックの生成時に、  前記画像データ書込要求および前記画像データ読出要求に基づく前記画像メモリへの画像データの書込みと、前記画像メモリからの画像データの読出しとが完了したときに、新たな前記画像データ書込要求および前記画像データ読出要求との受付けが重複していなければ、前記通常状態の前記低クロックを生成するように前記クロック生成手段に対して前記クロック切換信号を出力するようにしてもよい。
【００１１】
このような構成とすれば、クロック生成手段による高クロックの生成時に、画像データ書込要求および画像データ読出要求に基づく画像メモリへの画像データの書込みと、画像メモリからの画像データの読出しとが完了したときに、新たな画像データ書込要求および画像データ読出要求とが重複していなければ、メモリ制御手段は、通常状態の低クロックを生成するようにクロック生成手段に対してクロック切換信号を出力するため、確実に高速モードから通常状態である低速モードに移行できる。
【発明を実施するための最良の形態】
【００１２】
図１は本発明の画面表示制御装置の一実施形態であるＬＣＤコントローラ７６が実装されるフォトプリンタ１０を示す斜視図である。また、図２はフォトプリンタ１０の内部構成の概略を示す図である。このフォトプリンタ１０では、プリンタ本体１２の内部にはプリント機構５０（図２参照）が内蔵されており、フォトプリンタ１０の全体の制御を司るコントローラ７０（図２参照）からの動作指令に応じて用紙Ｐへの印刷を実行する。そして、こうして印刷された用紙がプリンタ本体１２の前面に排紙される。
【００１３】
このプリンタ本体１２の前面には、図１に示すように、前面扉１４が開閉自在に取り付けられている。この前面扉１４はプリンタ本体１２の前面を開閉するための蓋である。そして、開状態のときには、プリント機構５０から排紙される用紙Ｐを受けるための排紙トレイとして機能する。また、プリンタ本体１２の前面に設けられた各種のメモリカードスロット１６をユーザが利用可能な状態となる。つまり、この状態でユーザは印刷対象となる画像ファイルを記憶したメモリカードＭをメモリカードスロット１６に差し込むことができる。画像ファイルデータを記憶する外部媒体としてはメモリカードに限定されず、ＵＳＢメモリやディスク媒体など他のものであってもよい。また、画像を記憶したデジタルカメラや携帯電話等の電子機器を本フォトプリンタ１０にケーブルや赤外線を利用した通信によって接続し外部媒体として機能させてもよい。
【００１４】
また、プリンタ本体１２の上面には操作パネル２０が設けられる一方、プリンタ本体１２の上面の奥の一辺に対してカバー３０が開閉自在に取り付けられている。このカバー３０は、プリンタ本体１２の上面を覆うことのできる大きさに成形された樹脂板であり、開状態では操作パネル２０の表面を外部に露出する（図１参照）。一方、カバー３０が閉状態に閉じられると、操作パネル２０全体を覆う。
【００１５】
この操作パネル２０には、文字や図形、記号などを表示する例えばＬＣＤディスプレイにより構成された表示部２２と、この表示部２２の周囲に配置されたボタン群２４とを備えている。ボタン群２４は、図２に示すように、電源のオンオフを行うための電源ボタン２４ａ、メインメニュー画面を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄ、メモリカードスロット１６に挿入されたメモリカードＭに編集画像等を保存するための保存ボタン２４ｅ、表示部２２に表示された複数の選択肢の中から所望の選択肢を選択したりカーソルを移動したりするときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、表示部２２での画面表示を切り替えるための表示切替ボタン２４ｋ、表示部２２に表示される左ガイドを選択する左ガイド選択ボタン２４ｌ、表示部２２に表示される右ガイドを選択する右ガイド選択ボタン２４ｍ、排紙トレイとしての機能を備えた前面扉１４を開く排紙トレイオープンボタン２４ｎなどで構成されている。
【００１６】
また、表示部２２の表示内容を確認するために、カバー３０には表示部２２と同じ大きさの窓３２が設けられている。つまり、カバー３０が閉状態にあるときにはユーザはこの窓３２を介して表示部２２の表示内容を確認することができる。一方、カバー３０は開状態のときには、表示部２２を図１に示すように好みの角度に調整することが可能となっている。
【００１７】
このようにカバー３０を開状態としたときには、操作パネル２０に対して斜め後方に傾斜した状態でカバー３０は保持され、用紙Ｐをプリント機構５０へ供給するためのトレイとして利用可能となっている。また、操作パネル２０の奥には、プリント機構５０の給紙口５８が設けられるとともに、ガイド幅が用紙の幅に合うように左右方向にスライド操作される一対の用紙ガイド５９が設けられている。
【００１８】
そして、給紙口５８を介して用紙Ｐがプリント機構５０に送り込まれて印刷が実行される。このプリント機構５０には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００１９】
また、このキャリッジ５３には、シアン・マゼンタ・イエロー・ブラック等の各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒータなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００２０】
また、図示を省略しているものの、プリンタ本体１２の背面にはバッテリパックを装着可能となっており、商用電源に接続しなくとも本プリンタ１０をバッテリにより動作させることが可能となっている。この点および本プリンタ１０がホストコンピュータに接続しなくても使用することができるスタンドアロンプリンタとなっている点により、本プリンタ１０は持ち運び容易でどこでも使用できるようになっている。
【００２１】
図３はコントローラ７０の構成の一例を示すブロック図である。コントローラ７０は、図３に示すように、ＣＰＵ７１を中心とするマイクロプロセッサとして構成されており、各種処理プログラムや各種データ、各種プログラムや各種テーブルなどを記憶したＲＯＭ７２、一時的にデータを記憶するＲＡＭ７３、プリント機構５０やメモリカードスロット１６などとの通信を可能とするインターフェース（Ｉ／Ｆ）７４などを備えている。また、コントローラ７０は、メモリカードＭに編集画像などを保存するほか、プリント機構５０の印刷ヘッド５５への制御信号や操作パネルの表示部２２への制御信号を出力する。
【００２２】
また、コントローラ７０には、インターフェース７４を通してメモリカードＭなどの外部記憶媒体から与えられる画像データに対し必要な画像処理を行うための画像処理モジュール７５が設けられている。画像処理モジュール７５はまた、表示部２２に表示させるためのメニュー画面などのプリンタ固有の画像に対応する画像データや、アイコンなど、表示部２２に表示されるベース画像の一部と置換されて挿入される部分画像に対応する部分書込データを生成する機能を有している。
【００２３】
画像処理モジュール７５から出力されるＲＧＢ画像データは、表示部２２を表示制御するためのＬＣＤコントローラ７６（本発明の「画面表示制御装置」に相当）に与えられる。なお、以下では、ＬＣＤディスプレイにより構成される表示部２２の画素数はＷＶＧＡ（Wide Video Graphics Array）形式の８００ドット×４８０ドットであり、８００ドット分の画素データにより画像データの１ラインが構成されており、４８０ラインのラインデータにより一の画像が構成される。したがって、画像処理モジュール７５から、８００ドット×４８０ドットの大きさの表示部２２の一画面に相当する画像のＲＧＢ画像データなどがＬＣＤコントローラ７６に入力されることとなる。なお、各画素の画像データの色解像度は、各色８ビット、合計２４ビット（３バイト）のデータサイズで、フルカラー表示可能に構成される。
【００２４】
ＬＣＤコントローラ７６は、同期信号発生部７６９を備え、表示部２２への画像の表示タイミングを制御するための水平・垂直同期信号など、種々の同期信号を発生可能に構成されている。また、画像処理モジュール７５から入力されたシリアルデータをパラレルデータに変換して画像データを入力する入力データ変換部（本発明の「画像データ入力手段」に相当）７６１と、入力データ変換部７６１によりパラレルデータに変換された画像データの１ライン分のデータを一時的に保持可能なバッファ７６２とを備えている。そして、入力データ変換部７６１により入力されてバッファ７６２に一時的に保持された画像データが書込まれる書換自在のＶＲＡＭ７６６（本発明の「画像メモリ」に相当）と、表示部２２への画面表示の水平・垂直同期信号に同期してＶＲＡＭ７６６から周期的に読出して、読出した画像データを表示部２２へ出力するためのデータ変換を行い、表示部２２に出力する出力データ変換部（本発明の「画像データ出力手段」に相当）７６８とを備えている。したがって、ＶＲＡＭ７６６に格納された画像データは出力データ変換部７６８を介して表示部２２に出力されて表示される。なお、出力データ変換部７６８によりＶＲＡＭ７６６から読出された画像データはバッファ７６７に一時的に保持された後、表示部２２へ出力するためのデータ変換が行われた上で、表示部２２に出力されるように構成されている。
【００２５】
また、ＶＲＡＭ７６６には、少なくとも入力データ変換部７６１により入力された４８０ライン分（一の画像分）の画像データを格納可能な領域が設けられている。本実施形態では、ＶＲＡＭ７６６のメモリアドレス０、１０，２０…，４７９０が示す格納領域に、各ライン０，１，２…，４７９の画像データがそれぞれ格納されるように構成されている。
【００２６】
また、ＬＣＤコントローラ７６は、入力データ変換部７６１からの画像データ書込要求信号と、出力データ変換部７６８からの画像データ読出要求信号とに応じて、ＶＲＡＭ７６６への画像データの書込みと、ＶＲＡＭ７６６からの画像データの読出しとを制御するＲＡＭ制御部（本発明の「メモリ制御手段」に相当）７６５を備えている。また、ＬＣＤコントローラ７６は、ＲＡＭ制御部７６５の動作タイミングを規定するクロックであって、低速モードの低クロック（本実施形態では６６ＭＨｚ）を生成する第１クロック７７０と、高速モードの高クロック（本実施形態では９９ＭＨｚ）を生成する第２クロック７７１と、ＲＡＭ制御部７６５から出力されるクロック切換信号に応じて、ＲＡＭ制御部７６５に出力するクロックを、低速モードの低クロックと、高速モードの高クロックとの間で切換えるクロック切換部７６４とを備えている。
【００２７】
そして、ＲＡＭ制御部７６５は、通常状態において低クロックが出力されるようにクロック切換部７６４に対してクロック切換信号を出力し、入力データ変換部７６１からの画像データ書込要求信号と、出力データ変換部７６８からの画像データ読出要求信号との受付けが重複したときには、高クロックが出力されるようにクロック切換部７６４に対してクロック切換信号を出力するように構成されている。また、ＲＡＭ制御部７６５は、クロック切換部７６４による高クロックの生成時に、画像データ書込要求信号および画像データ読出要求信号に基づくＶＲＡＭ７６６への画像データの書込みと、ＶＲＡＭ７６６からの画像データの読出しとが完了したときに、新たな画像データ書込要求信号および画像データ読出要求信号とが重複していなければ、通常状態の低クロックを生成するようにクロック切換部７６４に対してクロック切換信号を出力するように構成されている。
【００２８】
なお、低速モードの低クロックとしては、表示部２２の画像解像度（ＷＶＧＡ）および階調度（２４ビットフルカラー）に基づくデータサイズの画像データを、表示部２２の画面表示の所定のフレームレート（６０フレーム／ｓ）に基づいて確実にＶＲＡＭ７６６から読出しできる速度であればよい。また、同様に、高速モードの高クロックとしては、ＶＲＡＭ７６６からの画像データの周期的な読出しを阻害せずに、入力データ変換部７６１により入力された画像データを、例えば、１０フレーム／ｓの速度でＶＲＡＭ７６６に書込める速度であればよい。以上のように、クロック切換部７６４、第１クロック７７０および第２クロック７７１により、本発明の「クロック切換手段」が構成されている。
【００２９】
なお、ＬＣＤコントローラ７６は、それぞれメモリ等により構成された、書込ラインカウンタ（図示省略）と、読出ラインカウンタ（図示省略）と、書込画素カウンタ（図示省略）と、読出画素カウンタ（図示省略）とを備えている。この読出画素カウンタの値は、ＶＲＡＭ７６６からの１画素分の画像データの読出しタイミングを規定するためにクロック切換部７６４が発生するクロックに基づいて加算される。また、書込画素カウンタの値は、ＶＲＡＭ７６６からの１画素分の画像データの書込しタイミングを規定するためにクロック切換部７６４が発生するクロックに基づいて加算される。また、読出画素カウンタは水平同期信号の出力時に”０”にリセットされ、クロック切換部７６４が発生する１画素分の画像データの読出しタイミングを規定するクロックの度に加算されるように構成されている。したがって、水平同期信号が出力されるともに読出画素カウンタの”０”からの加算が開始される。次に、図４ないし図６を参照してクロック切換処理の一例について説明する。
【００３０】
＜クロック切換処理＞
図４はクロック切換処理を示す図、図５および図６はタイミングチャートの一例を示す図であって、それぞれ異なる状態を示す図である。上記したように、ＲＡＭ制御部７６５は、通常状態として、低クロックを出力するようにクロック切換部７６４にクロック切換信号を出力するように構成されている。そして、図４に示すクロック切換処理が実行されて、クロック切換部７６４からＲＡＭ制御部７６５にクロックが出力される度に、ＲＡＭ制御部７６５は、入力データ変換部７６１からの画像データ書込要求信号（図５の「ライト要求」参照）と、出力データ変換部７６８からの画像データ読出要求信号（図５の「リード要求」参照）との受付けが重複するかどうかを判定する（ステップＳ１）。
【００３１】
図５に示すように、画像データ書込信号と画像データ読出信号との受付けが重複することがなければ、ＲＡＭ制御部７６５はステップＳ１において、常にＮＯと判定し、高クロックフラグは常にＯＦＦに設定されて、クロック切換部７６４に低クロックを出力するようにクロック切換信号が出力される（ステップＳ３）。なお、図５において、リード許可の後、実際に画像データの読出しが開始されるまでに、数クロック分、間が空いているが、この間に、ＶＲＡＭ７６６のどの格納領域から画像データを読出すかを決定するアドレス設定など諸設定が行われる。また、ライト許可の後、実際に画像データの書込みが開始されるまでにも、数クロック分、間が空いているが、これときも上記と同様の処理が行われる。
【００３２】
一方、図６に示すように、時刻ｔ１において、画像データ書込信号と画像データ読出信号との受付けが重複し、ステップＳ１においてＹＥＳと判定すれば、ＲＡＭ制御部７６５は、時刻ｔ２において、高クロックフラグをＯＮに設定し、クロック切換部７６４に高クロックを出力するようにクロック切換信号が出力される（ステップＳ２）。そして、時刻ｔ３において、クロック切換部７６４はクロックを切換えて、高クロックの出力を開始するとともに、クロック切換処理の実行を一時的に停止する。
【００３３】
次に、クロック切換部７６４により高クロックが出力されているときに、ＲＡＭ制御部７６５が重複して受付けた、画像データ書込要求信号および画像データ読出要求信号に基づくＶＲＡＭ７６６からの画像データの読出しと、ＶＲＡＭ７６６への画像データ書込みとが完了したときに（時刻ｔ４）、図４に示すクロック切換処理が再開されて、ステップＳ１が実行される（時刻ｔ５）。そして、新たな画像データ書込要求信号および画像データ読出要求信号との受付けが重複していなければ、ステップＳ１においてＮＯと判定されて、時刻ｔ６において、高クロックフラグがＯＦＦに設定されて、クロック切換部７６４に低クロックを出力するようにクロック切換信号が出力される（ステップＳ３）。最後に、時刻ｔ３において、クロック切換部７６４はクロックを切換えて、低クロックの出力を開始する。次に、図７を参照して、ＬＣＤコントローラ７６の変形例について説明する。
【００３４】
＜変形例＞
図７はコントローラ７０の構成の他の例を示すブロック図である。このコントローラ７０が、図３に示すコントローラ７０の構成と異なる点は、ＬＣＤコントローラ７６ａが、本発明の「クロック生成手段」として、所定の周期でクロックを生成する基準クロック７７２と、ＲＡＭ制御部７６５からのクロック切換信号に応じて基準クロック７７２が生成するクロックを任意に逓倍する逓倍部７６３とを備える点である。その他の構成および動作は、上記したＬＣＤコントローラ７６の構成および動作と同様であるため、同一符号を付して、その構成および動作の説明を省略する。このような構成とすれば、基準クロック７７２が所定の周期で生成するクロックを、ＲＡＭ制御部７６５からのクロック切換信号に応じて逓倍部７６３が任意に逓倍することで、必要な周期のクロックをＲＡＭ制御部７６５に出力できる。
【００３５】
以上のように、本実施形態では、ＲＡＭ制御部７６５は、通常状態において低速モードの低クロックを生成するようにクロック切換部７６４に対してクロック切換信号を出力するため、画像データ読出要求信号に応じてＶＲＡＭ７６６から画像データが低速モードの低クロックに基づいて周期的に読み出される。一方、画像データ書込要求信号と画像データ読出要求信号との受付けが重複したときには、ＲＡＭ制御部７６５は、高速モードの高クロックを生成するように、クロック切換部７６４に対してクロック切換信号を出力するため、ＶＲＡＭ７６６からの画像データの読出しおよびＶＲＡＭ７６６への画像データの書込みが高速モードの高クロックに基づいて行われる。したがって、必要なときにのみクロックを切換えてクロックアップすることにより、ＶＲＡＭ７６６からの画像データの読出しを阻害することなく、ＶＲＡＭ７６６への画像データの書込みを確実に行うことができる。また、必要なときのみクロックアップすることで、放射電磁波などを低減できるとともに省電力を図ることができるためコストダウンを図ることができる。
【００３６】
また、クロック切換部７６４による高クロックの生成時に、画像データ書込要求信号および画像データ読出要求信号に基づくＶＲＡＭ７６６への画像データの書込みと、ＶＲＡＭ７６６からの画像データの読出しとが完了したときに、新たな画像データ書込要求信号および画像データ読出要求信号とが重複していなければ、ＲＡＭ制御部７６５は、通常状態の低クロックを生成するようにクロック切換部７６４に対してクロック切換信号を出力するため、確実に高速モードから通常状態である低速モードに移行できる。
【００３７】
なお、本発明は上記した実施形態に限定されるものではなく、その趣旨を逸脱しない限りにおいて上述したもの以外に種々の変更を行うことが可能である。例えば、上記した実施形態では、本発明の画面表示制御にかかる各種機能をハードウェアにより構成したが、これらの機能を、ＣＰＵ７１またはＬＣＤコントローラ７６が別途備えるＣＰＵなどによって、ソフトウェアにより実現してもよい。このような構成としても、上記した効果と同様の効果を奏することができる。
【００３８】
また、上記実施形態では、インクカートリッジ方式のフォトプリンタ１０を例として説明したが、その他のインクジェット式プリンタ等の印刷装置にも本発明を適用してもよい。また、液晶ディスプレイやプラズマディスプレイ、有機ＥＬディスプレイといった画面表示装置に画像を表示する技術に本発明を広く適用できる。
【図面の簡単な説明】
【００３９】
【図１】本発明の画面表示制御装置が実装されるフォトプリンタを示す斜視図。
【図２】フォトプリンタの内部構成の概略を示す図。
【図３】コントローラの構成の一例を示すブロック図。
【図４】クロック切換処理を示す図。
【図５】タイミングチャートの一例を示す図。
【図６】タイミングチャートの一例を示す図。
【図７】コントローラの構成の他の例を示すブロック図。
【符号の説明】
【００４０】
２２…表示部、７６…ＬＣＤコントローラ（画面表示制御装置）、７６ａ…ＬＣＤコントローラ（画面表示制御装置）、７６１…入力データ変換部（画像データ入力手段）、７６３…逓倍部（クロック生成手段）、７６４…クロック切換部（クロック生成手段）、７６６…ＶＲＡＭ（画像メモリ）、７６８…出力データ変換部（画像データ出力手段）、７７０…第１クロック（クロック生成手段）、７７１…第２クロック（クロック生成手段）、７７２…基準クロック（クロック生成手段）
【図１】
2010091710.tif 000003
【図２】
2010091710.tif 000004
【図３】
2010091710.tif 000005
【図４】
2010091710.tif 000006
【図５】
2010091710.tif 000007
【図６】
2010091710.tif 000008
【図７】
2010091710.tif 000009